(57)【特許請求の範囲】
【請求項１】
薄肉プレキャストコンクリート版と該コンクリート版の表面に突設されたリブ部によって形成され、該リブ部は軽量コンクリートによって形成されると共に内部に埋設された鉄筋によって上記コンクリート版に固設されており、該リブ部を設けた表面にコンクリートが打設されて床版が形成されることを特徴とするハーフスラブ。
【請求項２】
リブ部が中空である請求項１に記載のハーフスラブ。
【請求項３】
リブ部の外形断面形状が矩型、半円型、逆Ｌ字型あるいはＴ字型である請求項１または２に記載のハーフスラブ。
【請求項４】
請求項１〜３のいずれかに記載のハーフスラブを、そのリブ部が設けられている面を上向きにして梁に架設し、リブ部を設けた上面にコンクリートを打設して床版を形成することを特徴とする合成スラブ工法。
【請求項５】
リブ部の間にコンクリートを打設してリブ部を埋設させた床版を形成する請求項４に記載の合成スラブ工法。
【発明の詳細な説明】
【０００１】
【発明の属する技術分野】
本発明は、合成スラブ工法に用いる型枠兼用のハーフスラブと該ハーフスラブを用いた合成スラブ工法に関する。
【０００２】
【従来技術】
従来より型枠工事や鉄筋工事を省力化するためにプレキャストコンクリート版（ＰＣ版）をハーフスラブとして用いた合成スラブ工法が知られている。該工法は型枠兼用のＰＣ版を梁に架設し、その上面に現場打ちコンクリートを打設して硬化後ＰＣ版と一体化したスラブを形成する方法であり、各種形状のハーフスラブが用いられている。
【０００３】
このハーフスラブを用いた合成スラブにおいては、自重による負担を軽減するためにスラブの軽量化が図られており、その一例としてスラブの内部に空隙を設けたボイドスラブが知られている。この従来例を図４および図５に示す。図４の例では、ＰＣ版１１の上面に段ボール紙や金網、発泡スチロールなどからなるボイド型枠を設け（図４A）、この型枠が埋設するように周りにコンクリート２１を打設することにより内部に空隙１５を有するスラブを形成する（図４B）。また図５の例では、普通コンクリートによってＰＣ版を形成する際に、その上面にリブ３０を予め一体に形成し（図５A）、このリブ３０の間に蓋をして現場打ちコンクリートを打設することによってリブの間に空隙が設けられたボイドスラブを形成している（図５B）。
【０００４】
このような、従来のボイドスラブには次のような問題がある。すなわち、図４に示すボイド型枠を用いるものは、段ボール等の型枠材は吸水性が高いため雨天時の施工に適さず、直射日光にも弱く、さらに段ボールや発泡スチロールは燃焼し易いために、これらの型枠付近では溶接バーナ等を用いた配筋施工が制限される。また強度も低いので現場打ちコンクリートの打設時に変形する虞があり、薬品にも弱い。金網等をボイド型枠に用いるものは、このような問題はないがコスト高となる。さらに、これらのボイド型枠は内部空間を形成するものであってＰＣ版の強度に寄与するものではない。
【０００５】
一方、図５に示すものは、リブの間に蓋をして現場打ちコンクリートを打設するため施工が煩雑であり、また、予めリブを一体に設けたＰＣ版を形成するのに手間がかかる。すなわち、リブを有するＰＣ版は、コンクリートを流し込む都合上、リブの部分を下側に形成した型枠を用いる必要があり、しかも脱型後、これを反転して使用しなければならない。大型のスラブはかなりの重量を有するのでこの作業が大きな負担となる。
【０００６】
【発明の解決課題】
本発明は従来の合成スラブにおける上記問題を解決したハーフスラブとその工法に関するものであって、本発明によれば、剛性が高く軽量で施工性に優れたハーフスラブが提供される。
【０００７】
【課題の解決手段】
すなわち、本発明によれば、（１）薄肉プレキャストコンクリート版と該コンクリート版の表面に突設されたリブ部によって形成され、該リブ部は軽量コンクリートによって形成されると共に内部に埋設された鉄筋によって上記コンクリート版に固設されており、該リブ部を設けた表面にコンクリートが打設されて床版が形成されることを特徴とするハーフスラブが提供される。
【０００８】
本発明の上記ハーフスラブは、（２）リブ部が中空である上記(1)に記載のハーフスラブ、（３）リブ部の外形断面形状が矩型、半円型、逆Ｌ字型あるいはＴ字型である上記(1)または(2)に記載のハーフスラブを含む。
【０００９】
また本発明によれば、（４）上記(1)〜(3)のいずれかに記載のハーフスラブを、そのリブ部が設けられている面を上向きにして梁に架設し、リブ部を設けた上面にコンクリートを打設して床版を形成することを特徴とする合成スラブ工法、
（５）リブ部の間にコンクリートを打設してリブ部を埋設させた床版を形成する上記(4)に記載の合成スラブ工法が提供される。
【００１０】
【発明の実施形態】
以下、本発明のハーフスラブおよびその合成スラブ工法を図面を参照して詳細に説明する。図１(A),(B),(C),(D),(E),(F)は本発明に係るハーフスラブの概略断面図、図２は図１(A)のハーフスラブを用いて形成した合成スラブの概略断面図、図３はこのハーフスラブを梁に架設した状態を示す部分概略斜視図である。
【００１１】
（Ｉ）ハーフスラブの構造
本発明のハーフスラブ１０は、基盤となる薄肉プレキャストコンクリート(PC)版１１と、該ＰＣ版１１の片側表面に突設されたリブ部１３によって形成されている。該リブ部１３は軽量コンクリートによって形成されており、その内部に埋設された鉄筋によって基盤のＰＣ版に一体に結合されている。すなわち、薄肉ＰＣ版１１には鉄筋１２が所定間隔をおいて縦横に埋設されており、同様にリブ部の内部にも鉄筋１４が設けられており、該配筋１４の両側下端部がリブ部１３の下側に延びてＰＣ版の配筋１２に接合されており、これによりリブ部１３が基盤のＰＣ版に一体に固定されている。リブ部１３の配筋１４とＰＣ版の配筋１２は溶接などの手段により接合される。
また、本発明のハーフスラブはプレストレスを与えることにより、さらに長スパン化が可能となる。
【００１２】
ここで、リブ部１３はスラブの版厚を見掛上大きくするためのものであり、従って、リブの外形断面の形状については特に制限されず、任意の形状に形成することができる。例えば、図示するように矩型（図１A,B,C）や半円型（図１D）、さらには逆Ｌ字型（図１E）やＴ字型（図１F）に形成することができる。特に、逆Ｌ字型（図１E）やＴ字型（図１F）は現場打ちコンクリートとの一体化、軽量化、および長スパン化に有利である。
【００１３】
また、リブ部１３は、スラブに加わる撓み荷重の方向に対して概ね直角にリブ部が配設され、その結合部分においてリブ部と基盤のＰＣ版が一体に結合されていれば、リブ部１３の高さに見合う剛性が得られるので、リブ部１３はその下面全体がＰＣ版に接合している必要はない。従って、図１(B),(C),(D) に示すように、リブ部１３を中空に形成しても良く、またリブ部１３と基盤のＰＣ版１１との間に空隙を設けても良い（図示省略）。
【００１４】
リブ部はＰＣ版とは別に予め形成したものをＰＣ版に取り付けても良く、あるいはＰＣ版と一体に形成し、またはＰＣ版の上面に別途形成しても良い。特に、本発明のリブ部は軽量コンクリートによって形成されるので、普通コンクリートによってＰＣ版とリブ部を一体に形成したものと異なり、ＰＣ版とは別に予めリブ部を形成する利点が大きい。
【００１５】
予め形成したリブ部をＰＣ版に取り付けるには、軽量コンクリートによって形成したリブ部をＰＣ版の上面に載置し、その下部から延びた配筋をＰＣ版内部の配筋に溶接などにより接合する。
一方、ＰＣ版の上面にリブ部を成形するには、まずＰＣ版の配筋と共にリブ部の配筋も組んでおき、普通コンクリートを打ち込んでＰＣ版を成形した後に、その表面から突出しているリブ部の配筋を囲むように軽量コンクリートを打設してリブ部を形成する。
【００１６】
本発明においてリブ部の材料として用いる軽量コンクリートには、軽量骨材を用いたものや気泡コンクリートなど、一般に軽量コンクリートと称されるものを用いることができる。軽量骨材としては人工、天然、副産物系のいずれを用いても良い。リブ部を軽量コンクリートによって形成することにより、基盤のＰＣ版とリブ部を普通コンクリートによって形成した従来のリブスラブに比べて大幅にに自重の小さいなハーフスラブが得られる。さらに、リブ部の内部を中空に形成することにより、より一層軽量化することができる。
【００１７】
（II）合成スラブ工法
本発明の合成スラブ工法は、図３に示すように、上記ハーフスラブ１０をリブ部１３が上向になるようにして梁１７ａと梁１７ｂの間に架設する。その後、ハーフスラブ１０の上面に現場打ちコンクリート２１を打設し、リブ部１３の間を充填してリブ部１３が埋設された状態とし、現場打ちコンクリート２１の硬化によりＰＣ版１１、リブ部１３および現場打ちコンクリート２１が一体化したスラブを形成する。
【００１８】
基盤のＰＣ版およびリブ部は、現場打ちコンクリートとの接合性を高めるために、その表面を粗面仕上とし、あるいはシアコネクターやスタッド等の金具を介設しても良い。なお、現場打ちコンクリートを打設する際には、図２に示すように上端配筋２２を設けると良い。上端配筋を設けることによりスラブの強度がより向上する。上端配筋２２はハーフスラブ上面に所定間隔をおいて縦横に配設するのが好ましい。該配筋２２は工場などでハーフスラブを製造する際に予め設けても良く、あるいは現場において、ハーフスラブを梁間に架設した後に設けても良い。
【００１９】
【発明の効果】
以上のように本発明のハーフスラブおよびこれを用いた合成スラブ工法によれば、型枠工事や配筋工事が省力化されスラブの施工が容易になる。また、本発明のハーフスラブは剛性が高く、軽量であるため従来のボイドスラブに比べてスパンを２倍程度増大させることができる。
【図面の簡単な説明】
【図１】  (A),(B),(C),(D),(E),(F)は本発明に係るハーフスラブの概略断面図
【図２】  図１(A)のハーフスラブを用いた合成スラブの概略断面図
【図３】  本発明のハーフスラブを梁に架設した状態の部分概略斜視図
【図４】  (A)(B)は従来のボイドスラブの概略断面図
【図５】  (A)(B)は従来のボイドスラブの概略断面図
【符号の説明】
１０…ハーフスラブ，１１…薄肉プレキャストコンクリート(PC)版，
１２…配筋，１３…リブ，１４…配筋，１５…中空部，１６…ボイド型枠，
１７ａ、１７ｂ…梁，２１…場所打ちコンクリート，２２…上端鉄筋
【図１】
0003668858.tif 000002
【図２】
0003668858.tif 000003
【図３】
0003668858.tif 000004
【図４】
0003668858.tif 000005
【図５】
0003668858.tif 000006